(57)【要約】【課題】  書物を安定して保持することができる書見台を提供する。【解決手段】  書物例えば本を開いた状態で保持板部に載置したとき、ページの下端部を下部本押え部材の下部本押え片によって保持板部に押しつけると共に、その本の上端部を、上部本押え部材の取付片を移動させてその取付片に取り付けた上部本押え片によって保持板部に押しつけることにより、ページが本押え片の押えから外れることなく安定して保持板部に保持されることになる。【選択図】        図１
2006042933.tif 000002
【特許請求の範囲】
【請求項１】
書物の表紙を支える基板及び書物の下端部を支える板状の支持棚を有する保持板部と、その保持板部に設けられ、前記書物の側部を保持するページ押え部材と、前記支持棚に設けられ、前記書物の下端部を前記保持板部に押え付ける下部本押え部材と、前記保持板部に設けられ、前記書物の上端部を前記保持板部に押え付ける上部本押え部材と、を備えた書見台であって、
前記下部本押え部材が、前記基板と平行な方向に延びると共に、前記基板に対して直交する方向及び前記基板と平行な方向に移動可能な下部本押え片と、その下部本押え片を前記保持板部に固定する固定手段とを有し、
前記上部本押え部材が、前記基板と平行な方向に延びる上部本押え片と、前記保持板部に設けられ、前記基板と平行に延びる第１長孔と、前記上部本押え片が取り付けられ、長手方向に延びる第２長孔を有すると共に前記支持棚と平行な方向に延びる細長の取付片と、前記第１長孔及び前記第２長孔に挿通されて前記取付片を前記保持板部に移動可能に支持するガイド部材と、そのガイド部材に取り付けられ、前記取付片を前記保持板部に固定する固定部材とを有することを特徴とする、書見台。
【請求項２】
前記上部本押え片が、前記取付片に着脱可能に取り付けられていることを特徴とする、請求項１に記載の書見台。
【請求項３】
前記保持板部に、前記基板と平行な方向であって前記支持棚と直交する方向に移動可能に調節板が取り付けられ、該調節板に、前記上部本押え部材が取り付けられていることを特徴とする、請求項１又は２に記載の書見台。
【請求項４】
前記上方ページ押え部材及び前記下方ページ押え部材が、前記基板と平行な方向にそれぞれ個別に移動可能に設けられていることを特徴とする、請求項１〜３のいずれか１項に記載の書見台。
【発明の詳細な説明】
【技術分野】
【０００１】
本発明は、本、ムック、雑誌等の書物を安定に保持することができる書見台に関するものである。
【背景技術】
【０００２】
書見台とは、本、ムック、雑誌等の書物を保持してその書物の書等を見るものであり、いくつかの種類のものがある。この書見台の中には、パソコンやワープロ等の作業を行う際に用いられたり、料理やお菓子等を作るときにその料理のレシピ等が載っている本等を保持する際に用いられたり、書物を持つことなく寝ながら書物を見る際に用いられたりするものがあり、書物を保持してこの書物の書等を見ながらパソコンや料理等の他の作業を行えるので効率的にそれらの作業を行える。
【０００３】
この種の書見台としては、本出願人が先に提案した特許文献１に記載されているもの等が知られている。この書見台は、下端部に支持棚を有し書物例えば本を保持する略矩形板状の保持板部と、本を保持板部に保持させる押え部材とを備えている。押え部材は、本の下方を保持する一対の下部表紙押え部材及び一対の下部ページ押え部材と、本の上方を保持する一対の上部表紙押え部材及び一対の上部ページ押え部材とからなる。
【０００４】
下部表紙押え部材は、書見台の前後方向（保持板部に対して直交する方向）に移動可能な突片を有し、この突片によって本の両表紙（表表紙と裏表紙）の下端部を保持板部に押え付けるものである。また、下部ページ押え部材は、書見台の前後方向に移動可能であると共に、保持板部と略平行に延びるページ押え片を有し、このページ押え片によって本の下方の側部を保持板部に押え付けるものである。上部表紙押え部材は、先端部に略Ｕ字状に折り返してなる弾性片が形成されており、この弾性片と弾性片以外の上部表紙押え部材（上部表紙押え部材本体ということがある。）との間に表紙や場合によって保持板部を位置させて弾性片の付勢力によって表紙を保持板部や上部表紙押え部材本体に押し付けて、本の両表紙の上端部を保持するものである。上部ページ押え部材は、上部表紙押え部材と略同様に先端部に略Ｕ字状に折り返してなる弾性片を有し、この弾性片の付勢力によって本の上方の側部を保持するものである。これらの押え部材によって、本を開いた状態で保持することが可能となる。
【特許文献１】特開２０００−２３７５７号公報
【発明の開示】
【発明が解決しようとする課題】
【０００５】
ところで、前述の書見台では、開いた本の両表紙が一対の下部表紙押え部材、一対の下部ページ押え部材、一対の上部表紙押え部材及び一対の上部ページ押え部材によって保持されるので、本の両表紙を安定に保持することが可能となるが、開いたページは側部の下方が下部ページ押え部材によって側部の上方が上部ページ押え部材によって保持されるので、ページを安定して開いた状態に保持することができないことがある。
【０００６】
すなわち、開いたページの側部の上方及び下方の２箇所を下部及び上部ページ押え部材の弾性片の付勢力によって保持するために、ページの厚さが厚い場合、例えば、本の読み終わりや元々厚さが厚い本等の場合には、開いたページの中央部付近が湾曲してページが閉じようとするので、弾性片の付勢力すなわち押付力が強くないとページがページ押え部材の押えから外れることがあり、その場合、外れたページが開いた片方のページ上に移動して開いたページを閉塞したり見難くしたりする。
【０００７】
このため、下部表紙押え部材の突片及び上部表紙押え部材の弾性片を利用して、開いたページの中央部の近傍の湾曲している部分の下端部及び上端部を保持することによって、開いたページがページ押え部材や表紙押え部材の押えから外れないようにすることが提案される。しかし、上部表紙押え部材は、略Ｕ字状に折り返してなる弾性片の付勢力によってページを保持するために、使用し続けていくと、弾性片と弾性片以外の下部表紙押え部材（下部表紙押え部材本体ということがある。）との幅（略Ｕ字状の幅）がだんだん広がり、ページを保持する力が弱くなったりなくなったりすることがある。すなわち、上部表紙押え部材によってページを保持する個所は、ページの中央部付近の湾曲した個所で、表紙や保持板部の表面からもっとも離れた個所であり、本の厚さが厚いとページの厚さ以上表紙や保持板部の表面から離れるので、特に厚さが厚くて重量のある本を保持していると、弾性片と下部表紙押え部材本体との幅（略Ｕ字状の幅）が広がる。その結果、ページを保持する力が弱くなったりなくなったりするので、ページの一部がページ押え部材や表紙押え部材の押えから外れることがあり、安定して本を保持することができなくなるという問題があった。
【０００８】
この発明は、上述したような問題を解決するためになされたものであって、その目的は、厚くて重量のある書物を安定に保持することができる書見台を提供することにある。
【課題を解決するための手段】
【０００９】
前記の目的を達成するための本発明の書見台は、書物の表紙を支える基板及び書物の下端部を支える板状の支持棚を有する保持板部と、その保持板部に設けられ、前記書物の側部を保持するページ押え部材と、前記支持棚に設けられ、前記書物の下端部を前記保持板部に押え付ける下部本押え部材と、前記保持板部に設けられ、前記書物の上端部を前記保持板部に押え付ける上部本押え部材と、を備えた書見台であって、前記下部本押え部材が、前記基板と平行な方向に延びると共に、前記基板に対して直交する方向及び前記基板と平行な方向に移動可能な下部本押え片と、その下部本押え片を前記保持板部に固定する固定手段とを有し、前記上部本押え部材が、前記基板と平行な方向に延びる上部本押え片と、前記保持板部に設けられ、前記基板と平行に延びる第１長孔と、前記上部本押え片が取り付けられ、長手方向に延びる第２長孔を有すると共に前記支持棚と平行な方向に延びる細長の取付片と、前記第１長孔及び前記第２長孔に挿通されて前記取付片を前記保持板部に移動可能に支持するガイド部材と、そのガイド部材に取り付けられ、前記取付片を前記保持板部に固定する固定部材とを有することを特徴とする。
【００１０】
この発明によれば、下部本押え片を移動させてこの下部本押え片によって書物の下端部を保持板部に押し付けて保持することができる。また、その書物の上端部は、取付片を移動させてその取付片に取り付けた上部本押え片によって保持板部に押し付けて保持することができる。このように、本の表紙や保持板部の表面からもっとも離れたページのノド付近の湾曲した個所を付勢力を利用せずに本の表紙や保持板部に押し付けることができるので、ページが本押え片の押えから外れることなく安定して保持されることになる。
【００１１】
本発明の書見台において、前記上部本押え片が、前記取付片に着脱可能に取り付けられていることが好ましい。また、本発明の書見台において、前記保持板部に、前記基板と平行な方向であって前記支持棚と直交する方向に移動可能に調節板が取り付けられ、該調節板に、前記上部本押え部材が取り付けられていることが好ましい。また、本発明の書見台において、前記上方ページ押え部材及び前記下方ページ押え部材が、前記基板と平行な方向にそれぞれ個別に移動可能に設けられていることが好ましい。
【発明の効果】
【００１２】
以上説明したように本発明の書見台によれば、下部本押え部材が下部本押え片を有し、上部本押え部材が上部本押え片を有するので、厚くて重量のある書物でも安定して保持することができる。
【発明を実施するための最良の形態】
【００１３】
以下、本発明の書見台を添付図面に基づいて詳述する。
【００１４】
図１及び図２は本発明に係る書見台の一例を示す図である。図３〜図８は本発明に係る書見台の要部の一例を示す図である。本発明の書見台は、書物を保持するものである。書物としては、特に限定されず、例えば、本、ムック、雑誌等が挙げられ、本実施の形態では書物として本について説明するが、これに限定されるものではない。
【００１５】
本発明の書見台は、図１〜図８に示すように、書物の表紙を支える基板２１及び書物の下端部を支える板状の支持棚２２を有する保持板部２と、その保持板部２に設けられ、書物の側部を保持するページ押え部材５と、支持棚２２に設けられ、書物の下端部を保持板部２に押え付ける下部本押え部材６と、保持板部２に設けられ、書物の上端部を保持板部２に押え付ける上部本押え部材７とを備えている。この本発明の書見台１の特徴は、下部本押え部材６が、基板２１と平行（本発明においては略平行を含む。）な方向に延びると共に、基板２１に対して直交する方向（本発明においては略直交する方向を含む。）及び基板２１と平行（本発明においては略平行を含む。）な方向に移動可能な下部本押え片６１と、その下部本押え片６１を保持板部２に固定する固定手段６４とを有することと、上部本押え部材７が、基板と平行（本発明においては略平行を含む。）に延びる上部本押え片７１と、基板と平行（本発明においては略平行を含む。）に延びる第１長孔７２と、上部本押え片７１が取り付けられ、長手方向に延びる第２長孔７３を有すると共に支持棚２２と平行（本発明においては略平行を含む。）な方向に延びる細長の取付片７４と、第１長孔及７２び第２長孔７３に挿通されて取付片７４を保持板部２に移動可能に支持するガイド部材７５と、そのガイド部材７５に取り付けられ、取付片７４を保持板部２に固定する固定部材７６とで構成したことである。
【００１６】
保持板部２は、主に本が開いた状態で保持するものであり、保持した本を見やすいようにする支持手段１０によって支持される。支持手段１０は、本を見やすいようにすることができれば特に限定されず、例えば、保持板部を机等に立てかけるための脚部を保持板部の裏面に回動可能に取り付けて構成されてもよいし、保持板部を吊り下げ支持する吊り下げ部材を保持板部に取り付けて構成されてもよいし、ポールや支柱等に取り付けるためのフック部材等の取付部材を保持板部に取り付けて構成されてもよい。
【００１７】
また、支持手段１０としては、図１及び図２に示すように、基台１１とこの基台１１に立設された支持部材１２とから構成されてもよい。この場合、基台１１は、支持部材１２を介して保持板部２を安定に支持するものであり、例えば、略矩形平板状に形成されている。この基台１１の四隅には、保持板部２の支持をより安定にするための補助脚１３が旋回可能にそれぞれ取り付けられている。各補助脚１３は、例えば、基台１１の下面に取り付けられた安定バー１４に設けられたマジックテープ（登録商標）等の手段によって取付位置が安定するようにすることが好ましく、これにより、基台１１が安定するように各補助脚１３の取付位置が容易に変えることができる。また、基台１１の表面（上面）には、ボス部材１５が立設され、このボス部材１５に支持部材１２が支持されている。
【００１８】
支持部材１２は、特に限定されないが、その長さを調節することができるものが好ましい。支持部材１２としては、例えば、互いに軸方向へ嵌縮自在に連結された４本の支持パイプ１２ａ、１２ｂ、１２ｃ、１２ｄと、高さ方向最も上方に位置される支持パイプ１２ｄの上端に自在継手１２ｅを介して揺動可能に取り付けられた先端に係止溝１２ｆを有する係止棒１２ｇとからなる。高さ方向最も下方に位置される支持パイプ１２ａの下端部をボス部材１５へ挿入させることによって、基台１１上へ着脱可能で垂直方向に沿って支持部材１２が立設されている。勿論、この部分は固定させてもよい。各支持パイプ１２ａ、１２ｂ、１２ｃ、１２ｄは互いの長さを調節した後に固定部材を用いて固定させるように構成してもよいが、摩擦力によって容易には伸縮しないように構成してもよい。係止棒１２ｇは、保持板部２を支持するものであり、略Ｕ字状の係止溝１２ｆを有するが、これに限定されるものではない。
【００１９】
保持板部２は、図１〜図８に示すように、略矩形板状の基板２１と、基板２１の下端部に設けられた板状の支持棚２２と、前記の係止棒１２ｇが挿入されて係合する係合部２３と、移動可能に設けられた調節板２４とで構成されている。
【００２０】
基板２１は、本の表紙を支えるもので、本の表紙を支え得る寸法の略矩形板状に形成されている。この基板２１の一方の面が表面となり、この表面（実質的には調節板の表面であるが）に本の表紙が支えられるようになっている。
【００２１】
支持棚２２は、本の下端部を支えるものである。支持棚２２は、基板２１の下端部に基板２１の前方（基板２１の表面からその直交する方向に離れる方向）に出っ張るように設けられている。支持棚２２は、例えば、基板２１に一体的に設けられている。すなわち、基板２１と支持棚２２とで略Ｌ字状に形成されている。支持棚２２の突出長（基板２１の表面に対して直交する方向の長さ）は、保持する本のページの一番厚い部分（開いたページの中央部（ノドということがある。）付近の湾曲している部分）より長い寸法で形成されていることが好ましい。
【００２２】
係合部２３は、基板２１の表面に設けられている。係合部２３は、基板２１と、基板２１の表面に前記の係止棒１２ｇが挿入し得る間隔を空けて基板２１と略同じ形状の係合基板２５とで形成されている。基板２１と係合基板２５との上下左右の縁部は閉塞板２６で閉塞されて基板２１と係合基板２５との間に空洞部２７が形成されている。基板２１と係合基板２５との下縁部を閉塞する閉塞板２６の略中央部には、係止棒１２ｇが挿入し得る挿入口２８が設けられている。また、空洞部２７内であって基板２１の上部近傍に位置される個所には、扇状に配置された複数図示例では７つの係止片２９ａ、２９ｂ、２９ｃ、２９ｄ、２９ｅ、２９ｆ、２９ｇが形成されている。これら係止片２９ａ、２９ｂ、２９ｃ、２９ｄ、２９ｅ、２９ｆ、２９ｇは、空洞部２７に挿入された係止棒１２ｇの係止溝１２ｆが係止されるものであり、係止溝１２ｆがどの係止片２９ａ、２９ｂ、２９ｃ、２９ｄ、２９ｅ、２９ｆ、２９ｇに係止させるかによって保持板部２の支持部材１２に対する傾斜角度を任意に変えることができるようになっている。
【００２３】
調節板２４は、基板２１と幅（左右方向の寸法）が略同じ寸法で、高さ（上下方向の寸法）が基板２１より長い寸法の略矩形板状に形成されている。この調節板２４は、基板２１（係合基板２５）上に積層されるように設けられると共に、係合基板２５の表面の両側部に設けたガイド３１、３１によって上下方向に移動可能（スライド可能）に係合基板２５（基板２１）に取り付けられている。調節板２４の裏面の上部であって係合部２３より上方の個所には、調節板２４の幅方向に延びる筒部３５が設けられている。この筒部３５は、調節板２４の幅と略同じ長さの寸法で形成され、両端部が開放されている。
【００２４】
また、両ガイド３１、３１と係合基板２５との間には、板状のスペーサー３２を介してそれぞれ間隙３３が設けられ、これらの間隙３３に一対の下方ページ押え部材５１、５１がそれぞれ挿入されている。下方ページ押え部材５１は、保持板部２に開いた状態で支えられた本のページの両側部（小口ということがある。）の下方を保持するものである。この下方ページ押え部材５１は、例えば、前記の間隙３３に挿入される挿入部５２（下方ページ押え部材本体ということがある。）と、その挿入部５２の先端部に略Ｕ字状に折り返してなる押え部５３とからなる。下方ページ押え部材５１は、挿入部５２と押え部５３とが一体的にＵ字状に形成され、そのＵ字状の間隔が可変可能であると共にそのＵ字状の間隔を変えたときに元のＵ字状の間隔に戻ろうとする付勢力を有する透明材料で形成されていることが好ましい。すなわち、下方ページ押え部材５１は、押え部５３が弾性片として機能するように透明材料で形成されていることが好ましい。これにより、押え部５３と挿入部５２との間に本のページや表紙、場合によって保持板部２を位置させて押え部５３の付勢力によってページを表紙等に押し付けて、ページを保持することができるようになっている。
【００２５】
下方ページ押え部材５１は、挿入部５２が前記の間隙３３に挿入されるが、挿入部５２の挿入長さ及び挿入位置が容易にずれないと共にその長さや位置を変えることができるように構成されていることが好ましい。このような構成は、特に限定されないが、例えば、マジックテープ（登録商標）等の取り付け取り外しが行える着脱部材を用いてもよい。すなわち、例えば、係合基板２５の表面に着脱部材５４を貼付すると共に、その着脱部材５４と対向する挿入部５２の表面に着脱部材５４を貼付して、下方ページ押え部材５１の左右方向の位置を任意に変えることができるようにしてもよい。また、下方ページ押え部材５１の上下方向の位置を任意に変えることができるように着脱部材５４を係合基板２５の表面に貼付するようにしてもよい。
【００２６】
一対の下方ページ押え部材５１、５１は、ページ押え部材５を構成するものである。ページ押え部材５は、図示例では、一対の下方ページ押え部材５１、５１と一対の上方ページ押え部材５５、５５とからなるが、これに限定されるものではない。
【００２７】
一対の上方ページ押え部材５５、５５は、保持板部２に開いた状態で支えられた本のページの両小口の上方を保持するものである。上方ページ押え部材５５は、下方ページ押え部材５１と同様に、前記の筒部３５に挿入される挿入部５６と、押え部５７とからなり、挿入部５６と押え部５７とが一体的にＵ字状に透明材料で形成され、押え部５７と挿入部５６との間に本のページや表紙、場合によって保持板部２を位置させて押え部５７の付勢力によってページを表紙等に押し付けてページを保持することができるようになっている。
【００２８】
上方ページ押え部材５５の挿入部５６は前記の筒部３５に挿入されるが、挿入部５６の挿入長さ及び挿入位置が容易にずれないと共にその長さや位置を変えることができるように構成されていることが好ましい。このような構成は、下方ページ押え部材５１とほぼ同様に、例えば、マジックテープ（登録商標）等の取り付け取り外しが行える着脱部材５４を用いてもよい。すなわち、例えば、筒部３５の対向する２つの内表面に着脱部材５４を貼付すると共に、その着脱部材５４と対向する挿入部５６の表面に着脱部材５４を貼付して、上方ページ押え部材５５の左右方向の位置を任意に変えることができるようにしてもよい。
【００２９】
下部本押え部材６は、保持板部２に支えられた本の下端部（地ということがある。）を保持板部２に押え付けるものである。下部本押え部材６は、付勢力によって本を保持板部２に押え付けるものではなく、下部本押え片６１を移動させることによって本を保持板部２に押え付けて本の保持を行うものである。
【００３０】
下部本押え部材６は、例えば、支持棚２２に対して直交する方向（略直交する方向を含む）に延びる下部本押え片６１と、支持棚２２に設けられ、基板２１に平行（略平行を含む）な方向及び基板２１に対して直交する方向（略直交する方向を含む）に延びるガイド長孔６２と、そのガイド長孔６２に挿通され、ガイド長孔６２に沿って移動すると共に下部本押え片６１が取り付けられている案内部材６３と、その案内部材６３に取り付けられ、下部本押え片６１を支持棚２２に固定する固定手段６４とで構成されている。
【００３１】
下部本押え片６１は、本の押し付けを行え得るものであれば特に限定されず、例えば、板状のものでもよいし、円筒状のものでもよい。具体的には、下部本押え片６１は、ビーズ状の円筒体６１ａを２つ同軸上に重ねあわしたものでもよい。これらの円筒体６１ａの挿通孔にその挿通孔より径が大きな寸法の止め部６５が一端部に設けられた案内部材６３を挿通して止め部６５に２つの円筒体６１ａ、６１ａを当接させるようにして下部本押え片６１を構成するようにしてもよい。案内部材６３としては、２つの円筒体６１ａ、６１ａが装着されたとき、他端部及び露出されている外表面にネジ溝が螺設されているものが好ましく、例えば、ネジやボルト等が挙げられる。
【００３２】
ガイド長孔６２は、このガイド長孔６２に沿って下部本押え片６１を移動させて下部本押え片６１によって本の押し付けを行なえるならば特に限定されず、例えば、基板２１に平行（略平行を含む）な方向に延びる３本の横ガイド長孔６２ａ、６２ｂ、６２ｃと、これら横ガイド長孔６２ａ、６２ｂ、６２ｃの略中央部に３本の横ガイド長孔６２ａ、６２ｂ、６２ｃを連結すべく形成された縦ガイド長孔６２ｄとから略主字状に形成されている。ガイド長孔６２の幅は、案内部材６３が挿通されると共に下部本押え片６１が抜けない寸法で形成されている。
【００３３】
固定手段６４は、特に限定されないが、案内部材６３がネジやボルトの場合には，これらのネジやボルトと、これらのネジやボルトに螺合する蝶ナット６８などのナット等の締結部材とで構成されていることが好ましい。すなわち、蝶ナット６８を案内部材６３にその他端部からワッシャー６９を介して螺合させてこの蝶ナット６８と止め部６５とによって下部本押え片６１をガイド長孔の任意の位置に固定することができるようになっている。このような下部本押え部材６は、支持棚２２の左右方向の中央部を挟んで一対設けられていることが好ましい。
【００３４】
上部本押え部材７は、保持板部に支えられた本の上端部（天ということがある。）を調節板２４に押え付けるものである。上部本押え部材７は、保持板部２に設けられるが、好ましくは保持板部２の調節板２４に設けられていることが好ましい。この場合、調節板２４の上端部に本押え部材取付部８０が設けられていることが好ましい。
【００３５】
本押え部材取付部８０は、調節板２４の上端部に設けられている第１本押え部材取付板８１と、その本押え部材取付板８１の上面に、間隔をあけて設けられている第２本押え部材取付板８２とからなる。
【００３６】
第１本押え部材取付板８１は、略矩形平板状に形成され、例えば、調節板２４の上端部から調節板２４に対して直交する方向（略直交する方向を含む）であって後方に調節板２４に一体的に設けられている。すなわち、調節板２４と第１本押え部材取付板８１とで略Ｌ字状に形成されている。
【００３７】
第２本押え部材取付板８２は、第１本押え部材取付板８１と略同じ矩形平板状に形成されている。この第２本押え部材取付板８２は、第１本押え部材取付板８１の上面に取付片７４が挿入し得る挿入間隔８３をあけて設けられている。すなわち、第１本押え部材取付板８１と第２本押え部材取付板８２の間であって、その左右方向の両端部と中央部には板状のスペーサーが設けられ、これらのスペーサーを介して第２本押え部材取付板８２が第１本押え部材取付板８１に設けられると共に、中央部を挟んだ２箇所に挿入間隔８３が形成されている。
【００３８】
上部本押え部材７は、上部本押え片７１と、第１長孔７２と、第２長孔７３を有する取付片７４と、ガイド部材７５と、固定部材７６とで構成され、本押え部材取付部８０にその中央部を挟んだ２箇所に一対設けられている。
【００３９】
上部本押え片７１は、本の押し付けを行え得るものであれば特に限定されず、例えば、板状に形成されている。上部本押え片７１は、具体的には例えば、細長であって一端部７１ａが略三角形状に尖がった形に形成されている。上部本押え片７１の他端部７１ｂは、一端部７１ａより厚さが厚く形成されて、取付片７４の取付孔（図示せず）を貫通しないようになっている。また、上部本押え片７１の他端部７１ｂの近傍の一表面には、厚さを厚くして取付孔から抜け難くする厚肉部７１ｃが設けられ、この厚肉部７１ｃの一端部側が漸次傾斜されて取付孔に上部本押え片７１が挿入しやすいようになっている。上部本押え片７１の長さ（長手方向の長さ）は、取付孔に取り付けられて保持板部２に支えられた本の上端部を保持するときに、本の書等を隠すことがない寸法から選ばれる。また、上部本押え片７１の他端部７１ｂに、紐等を取り付けるための例えば貫通孔７１ｇが設けられていることが好ましく、さらに、取付片７４の取付孔の近傍等にその紐等を取り付けるための例えば貫通孔７４ｇが設けられていることが好ましい。それら貫通孔７１ｇ、７４ｇに１本の紐を取り付けることによって、上部本押え片７１を取付片７４から取り外したとき上部本押え片７１がなくなることが防止される。
【００４０】
第１長孔７２は、本押え部材取付部８０に設けられている。第１長孔７２は、具体的には例えば、本押え部材取付部８０の前後方向のほぼ中央部をその長手方向（左右方向）に挿入間隔が形成されている第１本押え部材取付板８１とその第１本押え部材取付板８１と対向する位置の第２本押え部材取付板８２とにそれぞれ設けられている。第１長孔７２の幅は、ガイド部材７５が挿通し得る寸法で形成されている。
【００４１】
取付片７４は、例えば、細長の略矩形板状に形成されている。取付片７４の一端部近傍には、その幅方向に延びる略矩形状の取付孔（図示せず）が設けられている。取付孔は、上部本押え片７１がその一端部７１ａ側から挿入されて厚肉部７１ｃを有する個所が挿入され得る大きさで形成されている。また、取付片７４には、その長手方向に延びる第２長孔７３が設けられている。第２長孔７３は、取付孔の近傍から取付片の他端部の近傍にかけて、ガイド部材７５が挿通し得る寸法で形成されている。取付片７４の長手方向の長さは、上部本押え片７１で保持する本のページの一番厚い部分（開いたページのノド付近の湾曲している部分）を保持し得る寸法で形成されていることが好ましい。
【００４２】
ガイド部材７５は、第１長孔７２及び第２長孔７３に挿通し得るものであれば特に限定されないが、例えば、ネジやボルト等の周面にネジ溝が設けられている螺合部材等が好ましいものとして例示される。
【００４３】
固定部材７６は、ガイド部材７５に取り付けられ、取付片７４を本押え部材取付部８０に固定するためのものであり、ガイド部材７５がネジやボルトである場合にはガイド部材７５とそのガイド部材７５に螺合されるナットとで構成されてもよい。また、固定部材７６は、ガイド部材７５が周面にネジ溝が設けられているものである場合には、図示するように、２つの蝶ナット７８、７８を用いて構成されてもよい。すなわち、第１長孔７２及び第２長孔７３を貫通させたガイド部材の両方に蝶ナット７８をワッシャー７９を介してそれぞれ螺合させてこれら蝶ナット７８、７８によって取付片７４を本押え部材取付部８０に固定するようにしてもよい。
【００４４】
次に本発明の書見台の作用を説明する。
保持板部２に本を開いた状態で保持させるには、一対の上方ページ押え部材５５、５５及び一対の下方ページ押え部材５１、５１を、図２に示すように、保持板部２から離れる方向に筒部３５及び間隙３３からそれぞれ引き出して左右方向のスペースを空ける。また、一対の下部本押え部材６の下部本押え片６１、６１を、ガイド長孔６２に沿って適宜移動させて支持棚２２上に本の地を支えるスペースを空ける。このとき、予め止め部６５と蝶ナット６８との間隔を広くして下部本押え片６１、６１が容易にガイド長孔６２に沿って移動できるようにしておく。さらに、調節板２４を例えば図１に想像線で示したように上方に移動させて本の天を支えるスペースを空ける。
【００４５】
そして、本を開いてこの状態のまま支持棚２２上に本の地をおき支持棚２２に地を支えさせると共に、両表紙を調節板２４の表面等に当接させて本を保持板部２上に置く。このとき、上部本押え片７１が邪魔になるときには、上部本押え片７１を取付片７４の取付孔から抜いておくことにより、邪魔になることなく本を保持板部２上に置くことができる。
【００４６】
本を保持板部２上に置いたら、まず、下部本押え片６１、６１をガイド長孔６２に沿って適宜移動させて、開いたページの地のノド付近の湾曲している部分に下部本押え片６１、６１を当接させ、下部本押え片６１、６１によってノド付近の湾曲している部分を調節板２４や係合基板２５等に押し付ける。この状態のまま案内部材６３に螺合されている蝶ナット６８を回転させて止め部６５側に移動させ、止め部６５と蝶ナット６８との間隔を狭くして下部本押え片６１を支持棚２２に固定する。すなわち、蝶ナット６８を締め付けて下部本押え片６１を支持棚２２に固定する。これにより、開いたページの地のノド付近の部分が保持板部２に保持されることになる。
【００４７】
また、取付片７４に上部本押え片７１が取り付けられていない場合には、取付孔が開いたページの上方に位置されるように取付片７４を適宜移動させる。このとき、予め蝶ナット７８間の間隔を広くして取付片７４が容易に第１長孔７２及び第２長孔７３によって移動できるようにしておく。その取付片７４の取付孔にその上方から下方に上部本押え片７１を挿入して、上部本押え片７１を取付片７４の取付孔に取り付ける。
【００４８】
そして、取付片７４を第１長孔７２及び第２長孔７３によって適宜移動して、開いたページの天のノド付近の湾曲している部分に上部本押え片７１をそれぞれ当接させ、上部本押え片７１によってノド付近の湾曲している部分を調節板２４に押し付ける。この状態のままガイド部材７５に螺合されている蝶ナット７８のいずれか一方又は両方を回転させて蝶ナット７８間の間隔を狭くして取付片７４を本押え部材取付部８０に固定する。すなわち、蝶ナット７８を締め付けて取付片７４を本押え部材取付部８０に固定する。これにより、開いたページの天のノド付近の部分が保持板部２に保持されることになる。
【００４９】
次に、上方ページ押え部材５５の押え部５７と下方ページ押え部材５１の押え部５３を開いたページの小口の上方及び下方をそれぞれ表紙等に押え付ける。すなわち、上方ページ押え部材５５の押え部５７及び下方ページ押え部材５１の押え部５３を付勢力に抗して前方に移動させてＵ字状の間隔を広くし、この間にページや表紙、場合によっては調節板２４が位置されるように上方ページ押え部材５５及び下方ページ押え部材５１を筒部３５及び間隙３３内にそれぞれ挿入する。挿入後、押え部５７、５３を前方に移動させるべく押え部５７、５３にかけた力を解除する。すると、押え部５７、５３は、元のＵ字状の間隔に戻ろうとする付勢力によりページが表紙等に押し付けられる。これにより、開いたページがそれぞれ保持板部２に保持されることになる。
【００５０】
これらのように、下部本押え片６１を移動させてこの下部本押え片６１によって開いたページの地を保持板部２に保持させると共に、そのページの天を、取付片７４を移動させてその取付片７４に取り付けた上部本押え片７１によって保持板部２に保持させ、かつ、ページの小口を上方ページ押え部材５５及び下方ページ押え部材５１によって保持するので、開いたページを安定に保持することができる。すなわち、本の表紙や保持板部２のからもっとも離れたページのノド付近の湾曲した個所を付勢力を利用せずに本の表紙や保持板部２に押し付けることができるので、ページが上方ページ押え部材５５の押え部５７の押え及び下方ページ押え部材５１の押え部５３の押えから外れることなく安定して保持されることになる。
【００５１】
そして、本を保持させた保持板部２を、図１及び図２に示すように、基台１１と支持部材１２とからなる支持手段１０に支持させる場合には、支持部材１２の係止棒１２ｇを係止溝１２ｆから係合部２３の挿入口２８に挿入して空洞部２７内に形成されている７つの係止片２９ａ、２９ｂ、２９ｃ、２９ｄ、２９ｅ、２９ｆ、２９ｇのうちの任意の１つ例えば真中の係止片２９ｄに係止させて、支持部材１２に保持板部２を支持させると共にその保持板部２の支持部材１２に対する傾斜角度を所望の角度に位置決めする。また、支持手段１０の各支持パイプ１２ａ〜１２ｄを伸縮させたり、自在継手１２ｅの部分を曲げたりして保持板部２の高さや傾斜位置を調節して本が見易い位置に調節する。
【００５２】
これにより、本を見ながらパソコンや料理等の他の作業を行えると共に、寝たままで読書することができる。次のページをみたいときには、一方の上方及び下方ページ押え部材５５、５１の押え部５７、５３より外してページをめくり、このページを他方のページ押え部材５５、５１の押え部５７、５３の内側に位置させることにより、本発明の書見台１は、両手で本を持たずに他の作業や読書を確実に行うことができるものである。
【００５３】
また、一対の上方及び下方ページ押え部材５５、５１の各押え部５７、５３は透明材料で形成されているので、各ページの字の上に位置されたとしても、その部分の字が読めなくなるということはない。
【００５４】
また、本が例えば週刊紙のように大判のものの場合には、下方ページ押え部材５１及び上方本押え部材５５を保持板部２より外方向に引き出せると共に、上部本押え部材７を調節板２４を介して支持棚２２から離れる方向に移動させることができ、本の大きさに合わせることが可能である。従って、本発明の書見台１は、本のサイズや厚さに関係なく多種の本を安定して保持することができるものである。
【産業上の利用可能性】
【００５５】
本発明に係る書見台は、手で書物を持たずに書物等を読んだり見たりすることができるので、他のパソコンや料理等の作業を効率的に行える。また、寝ながらにして手で書物例えば本を持たずに読むことができるので、長時間読書しても手が疲れないことから、健常者はもとより、寝たきりの病人や高齢者にとって便利有用なものである。
【図面の簡単な説明】
【００５６】
【図１】本発明に係る書見台の一例を示す斜視図である。
【図２】本発明に係る書見台の一例を示す一部分解斜視図である。
【図３】本発明に係る書見台の要部の一例を示す正面図である。
【図４】本発明に係る書見台の要部の一例を示す平面図である。
【図５】本発明に係る書見台の要部の一例を示す側面図である。
【図６】本発明に係る書見台の要部の一例を示す側面図である。
【図７】図３中のＡ−Ａ線矢視断面図である。
【図８】図７中のＢ−Ｂ線矢視断面図である。
【符号の説明】
【００５７】
１  書見台
２  保持板部
５  ページ押え部材
６  下部本押え部材
７  上部本押え部材
２１  基板
２２  支持棚
２４  調節板
３１  ガイド
３３  間隙
３５  筒部
５１  下方ページ押え部材
５２  挿入部
５３  押え部
５５  上方ページ押え部材
５６  挿入部
５７  押え部
６１  下部本押え部
６２  ガイド長孔
６３  案内部材
６４  固定手段
６５  止め部
６８  蝶ナット
７１  上部本押え部
７２  第１長孔
７３  第２長孔
７４  取付片
７５  ガイド部材
７６  固定部材
７８  蝶ナット
【図１】
2006042933.tif 000003
【図２】
2006042933.tif 000004
【図３】
2006042933.tif 000005
【図４】
2006042933.tif 000006
【図５】
2006042933.tif 000007
【図６】
2006042933.tif 000008
【図７】
2006042933.tif 000009
【図８】
2006042933.tif 000010